(57)【特許請求の範囲】
【請求項１】
利用者が利用可能な車両の車種情報を含む個人情報が記録されたＩＤカードを発行するカード発行装置と、
前記ＩＤカードに記録された前記個人情報に従い、当該利用者にレンタル可能な車種からなる車両の選択処理、選択した前記車両およびそのキーの貸出処理、選択した前記車両の車両情報を前記ＩＤカードに記録する記録処理、選択した前記車両および前記キーの返却処理、返却された前記車両の前記車両情報に基づき前記ＩＤカードの記録情報を更新する更新処理を行う貸出・返却処理装置と、
貸し出しのための複数種類の前記車両を確保する駐車場と、
前記ＩＤカードに記録された前記個人情報に従って利用者を判定し、その判定結果に基づき、当該利用者に対して当該車両の前記キーを利用可能とする利用者判定装置と、
を備えることを特徴とする車両レンタルシステム。
【請求項２】
請求項１記載のシステムにおいて、
前記貸出・返却処理装置は、選択された前記車両の前記駐車場における配置を指示する配置指示手段を備えることを特徴とする車両レンタルシステム。
【請求項３】
請求項１記載のシステムにおいて、
前記貸出・返却処理装置は、前記ＩＤカードの前記記録情報に基づき、当該利用者に対する課金処理を行う課金処理手段を備えることを特徴とする車両レンタルシステム。
【請求項４】
請求項１記載のシステムにおいて、
前記貸出・返却処理装置は、前記ＩＤカードの前記個人情報に基づき、当該利用者に対応した言語を選択する言語選択手段を備えることを特徴とする車両レンタルシステム。
【請求項５】
ＩＤカードに記録された利用者が利用可能な車両の車種情報を含む個人情報に従い、当該利用者にレンタル可能な車種からなる車両の選択処理、選択した前記車両の貸出処理、選択した前記車両の返却処理、返却の際に前記ＩＤカードの記録情報を更新する更新処理を行う貸出・返却処理装置と、
貸し出しのための複数種類の前記車両を確保する駐車場と、
前記ＩＤカードに記録された前記個人情報に従って利用者を判定し、その判定結果に基づき、当該利用者に対して当該車両を利用可能とする利用者判定装置と、
選択した前記車両に設けられ、前記貸出・返却処理装置および前記ＩＤカードとの間で情報の送受信を行い、当該車両の解錠、施錠処理を行う処理ユニットと、
を備えることを特徴とする車両レンタルシステム。
【発明の詳細な説明】
【０００１】
【発明の属する技術分野】
本発明は、二輪車、四輪車等の種類の異なる車両をレンタルする車両レンタルシステムに関する。
【０００２】
【従来の技術】
自転車や自動車等の車両をレンタルするシステムでは、従来から多数存在している。例えば、自動車のレンタルシステムでは、利用者がレンタル会社で必要事項を書類に記載してキーを受け取り、所望の自動車を借りて所定時間使用した後、そのレンタル会社に返却するのが一般的である。この場合、レンタル契約やキーの受け渡し処理、さらには、返却時における精算処理等は、利用者やレンタル会社の作業者にとって相当に煩雑なものとなっている。
【０００３】
そこで、本出願人は、前記の不具合を解消することを目的として、着脱自在なバッテリを備えた電動二輪車のレンタルシステムを開発した（特願平９−１１９５４３号参照）。このシステムでは、特定の利用者に対してＩＤカードを発行し、そのＩＤカードを用いて、利用者が電動二輪車のキーおよびバッテリを借り出して使用した後、返却時に前記ＩＤカードによって使用料金の精算を行うことができる。
【０００４】
【発明が解決しようとする課題】
しかしながら、前記のシステムでは、電動二輪車以外のレンタル可能な車両、例えば、電動三輪車、四輪車等の異なる車種までレンタルできる構成とはなっていない。
【０００５】
そこで、本発明は、異なる複数種類の車両を単一のシステムにおいて効率的にレンタルすることのできる車両レンタルシステムを提供することを目的とする。
【０００８】
【課題を解決するための手段】
本発明の車両レンタルシステムは、利用者が利用可能な車両の車種情報を含む個人情報が記録されたＩＤカードを発行するカード発行装置と、
前記ＩＤカードに記録された前記個人情報に従い、当該利用者にレンタル可能な車種からなる車両の選択処理、選択した前記車両およびそのキーの貸出処理、選択した前記車両の車両情報を前記ＩＤカードに記録する記録処理、選択した前記車両および前記キーの返却処理、返却された前記車両の前記車両情報に基づき前記ＩＤカードの記録情報を更新する更新処理を行う貸出・返却処理装置と、
貸し出しのための複数種類の前記車両を確保する駐車場と、
前記ＩＤカードに記録された前記個人情報に従って利用者を判定し、その判定結果に基づき、当該利用者に対して当該車両の前記キーを利用可能とする利用者判定装置と、
を備えることを特徴とする。
【００１０】
さらに、本発明は、ＩＤカードに記録された利用者が利用可能な車両の車種情報を含む個人情報に従い、当該利用者にレンタル可能な車種からなる車両の選択処理、選択した前記車両の貸出処理、選択した前記車両の返却処理、返却の際に前記ＩＤカードの記録情報を更新する更新処理を行う貸出・返却処理装置と、
貸し出しのための複数種類の前記車両を確保する駐車場と、
前記ＩＤカードに記録された前記個人情報に従って利用者を判定し、その判定結果に基づき、当該利用者に対して当該車両を利用可能とする利用者判定装置と、
選択した前記車両に設けられ、前記貸出・返却処理装置および前記ＩＤカードとの間で情報の送受信を行い、当該車両の解錠、施錠処理を行う処理ユニットと、
を備えることを特徴とする。
【００１２】
【発明の実施の形態】
図１は、本発明の実施形態である車両レンタルシステムの全体レイアウト図である。この車両レンタルシステムは、システム全体の管理を行うシステム管理装置１０と、前記システム管理装置１０と通信回線１２で接続され、レンタル可能な車両の選択、キーの貸し出しおよびこれらの返却処理を行う貸出・返却処理装置１４と、前記貸出・返却処理装置１４の近傍に配置され、複数の車両を確保する駐車場１６と、前記駐車場１６に配置される電動二輪車（車両）２０および電動三輪車（車両）２１に対して着脱自在なバッテリを供給するバッテリ供給装置１８Ａ、１８Ｂと、バッテリを内蔵する電動四輪車（車両）２３および２５に対して充電を行う充電器２７Ａ、２７Ｂとを備える。
【００１３】
図２は、この車両レンタルシステムでレンタルされる車両の一例である電動二輪車２０を示す。この電動二輪車２０は、ペダル２２の駆動力を補助する補助駆動部２４と、前記補助駆動部２４に対して電力を供給するバッテリ２６とを備える。バッテリ２６は、ハンドル２８の前部に装着されたバッテリケース３０に着脱自在に収納される。バッテリケース３０は、収納されたバッテリ２６の盗難を防止するためのロック機構３２を備えた蓋３４を有する。また、後輪３６には、電動二輪車２０の任意駐輪個所での盗難を防止するためのサークルロック３８が設けられる。さらに、この電動二輪車２０には、当該電動二輪車２０を識別するための固有情報を保持したタグ１９が設けられる。なお、バッテリ２６のロック機構３２および後輪３６のサークルロック３８は、同一のキー３９で解錠可能となっている。
【００１４】
システム管理装置１０は、利用者の情報管理およびシステム全体の管理を行う管理コンピュータ４０と、この車両レンタルシステムの利用者が利用可能な車両の車種情報を含む個人情報が記録されたＩＣカード等からなるＩＤカード４２を発行するＩＤカード発行機４４とを備える。
【００１５】
ここで、ＩＤカード４２には、図３のメモリマップに示すように、利用者情報４５、貸出情報４７、車両情報４９、利用実績情報５３等が記憶される。利用者情報４５としては、車両レンタルシステムの利用者のＩＤ番号、利用者が日本語を使用するのか英語を使用するのかを表す属性データ、車両レンタルシステムを利用できる有効期限、暗証番号、利用者の趣味、嗜好データ等が含まれる。貸出情報４７としては、車両を貸出中であるか否かを示すフラグ、貸出中の車両番号、貸出可能な車両の種類を示す許可フラグ等が含まれる。なお、許可フラグは、図４に示すように、例えば、当該利用者が電動二輪車２０、電動三輪車２１、電動四輪車２３、電動四輪車２５、その他のどの車両を借り出すことが可能かを示すフラグが設定される。車両情報４９としては、利用者の現在までの走行距離、それに伴うバッテリ消費量等が含まれる。利用実績情報としては、過去に利用した車両に関する履歴データ等が含まれる。
【００１６】
貸出・返却処理装置１４は、図５に示すように、ＩＤカード４２に記録された情報を読み込み、あるいは、書き込むＩＤカード読込書込部４６と、選択された電動二輪車２０、電動三輪車２１、電動四輪車２３あるいは電動四輪車２５のいずれかの車両のキー３９を取り出す複数のキー取出部４８ａ〜４８ｅと、車両の貸出・返却処理の操作を行うとともに、選択された車両の配置を指示する配置指示手段として機能するタッチパネルディスプレイ５０とをケーシング５１の前面に備える。キー取出部４８ａ〜４８ｅは、ソレノイド５２ａ〜５２ｅによってロックあるいはアンロックされる扉５４ａ〜５４ｅを有し、各扉５４ａ〜５４ｅの上部には、選択された車両のキー３９の収容部位を示すＬＥＤ５６ａ〜５６ｅが配設される。
【００１７】
貸出・返却処理装置１４の内部には、図６に示すように、連結部材５８によって揺動自在に支持された複数のキーボックス６０ａ〜６０ｄが収容されている。これらのキーボックス６０ａ〜６０ｄは、キー取出部４８ａ〜４８ｅに夫々対応して設けられる。従って、本実施形態では、２０個のキーボックス６０ａ〜６０ｄが貸出・返却処理装置１４内に収容されている。連結部材５８は、移動機構を構成するモータ６２によって矢印方向に回転可能に構成されており、その回転位置が貸出・返却処理装置１４に設けられた位置センサ６４で検出される。
【００１８】
バッテリ供給装置１８Ａ、１８Ｂは、図７に示すように、ＩＤカード４２に書き込まれた個人情報を読み込むＩＤカード読込部６６と、その下部に配列される複数のバッテリボックス６８ａ〜６８ｊとをケーシング７０の前面に備える。バッテリボックス６８ａ〜６８ｊは、図８に示すように、各バッテリ２６が斜め上方に向くようにケーシング７０に収容する。バッテリボックス６８ａ〜６８ｊ内には、収容されたバッテリ２６をロックあるいはアンロックするためのソレノイド７２と、収容状態にあるバッテリ２６を検出するバッテリ検出センサ７４と、バッテリ２６の充電を行う充電器７６とが設けられる。また、各バッテリボックス６８ａ〜６８ｊの上部には、利用可能なバッテリ２６を指示するためのＬＥＤ７８が設けられる。
【００１９】
駐車場１６は、図１に示すように、電動二輪車２０、電動三輪車２１、電動四輪車２３および電動四輪車２５を夫々複数台ずつ確保し、夫々にバッテリ供給装置１８Ａ、１８Ｂおよび充電器２７Ａ、２７Ｂが配置されており、フェンス８２によって囲まれている。フェンス８２には、入口８４および出口８６があり、入口８４の外側に貸出・返却処理装置１４が配置されている。また、入口８４および出口８６には、車両の入出を管理するための入口センサ８９および出口センサ９１が設けられる。
【００２０】
図９は、上記のように構成される貸出・返却処理装置１４およびバッテリ供給装置１８Ａ、１８Ｂの制御系の構成ブロック図である。
【００２１】
貸出・返却処理装置１４は、全体制御を行う中央処理部９０を有し、この中央処理部９０は、通信部９２を介してシステム管理装置１０を構成する管理コンピュータ４０に接続される。中央処理部９０には、ＩＤカード読込書込部４６、記憶部９４、ゲート制御部９６、タッチパネルディスプレイ５０、キーボックス制御部９８が夫々接続される。この場合、記憶部９４は、貸出・返却処理装置１４で処理される各種データを記憶する。ゲート制御部９６は、駐車場１６に対する車両や利用者の入出を入口センサ８９および出口センサ９１からの信号に従って管理制御する。キーボックス制御部９８は、車両のキー３９を収容するキーボックス６０ａ〜６０ｄの動作制御を行う。
【００２２】
バッテリ供給装置１８Ａ、１８Ｂは、全体制御を行う中央処理部１００を有し、通信部１０２を介して貸出・返却処理装置１４に接続される。中央処理部１００には、ＩＤカード読込部６６、記憶部１０４、バッテリ充電制御部１０６、バッテリボックス制御部１０８が接続される。この場合、記憶部１０４は、バッテリ供給装置１８Ａ、１８Ｂで処理される各種データを記憶する。バッテリ充電制御部１０６には、各バッテリボックス６８ａ〜６８ｊに設けられた充電器７６が接続されており、バッテリ２６の充電処理、充電状態の検出等の制御が行われる。バッテリボックス制御部１０８は、バッテリ２６を収容するバッテリボックス６８ａ〜６８ｊの動作制御を行う。
【００２３】
本実施形態の車両レンタルシステムは、基本的には以上のように構成されるものであり、次に、このシステムを用いた処理動作について説明する。
【００２４】
先ず、キー３９を用いて車両の解錠および施錠を行う場合につき、図１０に示すフローチャートに基づいて説明する。
【００２５】
利用者は、この車両レンタルシステムを利用するために、システム管理装置１０の管理コンピュータ４０に対して個人情報の登録、利用契約の設定等を行う。これらの登録、設定等を行うことにより、管理コンピュータ４０は、ＩＤカード発行機４４を制御し、利用者に対してＩＣカード等で構成されるＩＤカード４２を発行する（ステップＳ１）。
【００２６】
この場合、ＩＤカード４２には、図３に示すように、利用者のＩＤ番号、利用者が日本語を使用するのか英語を使用するのかを表す属性データ、車両レンタルシステムを利用できる有効期限、暗証番号、利用者の趣味、嗜好データ等の利用者情報４５と、貸し出し可能な車両の種類を示す許可フラグ（図４）からなる貸出情報４７とが記録される。利用者の趣味、嗜好データとしては、例えば、車両の色、形、電動二輪車２０であればサドルの高さ、車輪のサイズ、電動四輪車２３、２５であればシートの位置、ハンドルの位置等のデータを記録することができる。また、許可フラグとしては、例えば、利用者が運転免許証を所有していない場合、電動四輪車２３、２５を使用できないようにフラグを設定することができる。これらの情報は、利用者から口答で聞き、あるいは、利用者が所定の用紙に記入したものをオペレータが入力するようにしてもよく、また、入力ミスを回避するために、利用者のクレジットカード等の情報をコピーするようにしてもよい。
【００２７】
次に、ＩＤカード４２を所持した利用者は、駐車場１６を備えた貸出・返却処理装置１４を使用して車両の借り出し操作を行う。
【００２８】
利用者がＩＤカード４２を貸出・返却処理装置１４のＩＤカード読込書込部４６に置き、あるいは、挿入すると、ＩＤカード読込書込部４６は、ＩＤカード４２に書き込まれている利用者情報４５、貸出情報４７、車両情報４９、利用実績情報５３を読み取り、中央処理部９０に転送する。中央処理部９０は、読み込まれた情報から、この利用者が当該システムを利用可能な人間であるか否かを判定し、利用可能な人間であると判定した場合（ステップＳ２）、駐車場１６における車両の在庫情報に基づき利用者が利用可能な車両を選択し、タッチパネルディスプレイ５０に表示する（ステップＳ３）。なお、タッチパネルディスプレイ５０は、利用者情報４５の属性データに従って英語あるいは日本語で表示を行う。
【００２９】
この場合、例えば、ＩＤカード４２から得られた利用者の趣味、嗜好データが図１１のようであったとすると、タッチパネルディスプレイ５０には、このデータに基づいて図１２に示す画面を優先して表示する。このとき、利用者が「いいえ」を選択すれば、図１３に示す画面が表示され、他の車両を選択することができる。なお、利用者が運転免許証を所有していない場合には、図４に示す許可フラグに従い、電動四輪車２３および２５を選択する画面は表示されない。このように、利用者にとって必要な情報のみが選択されてタッチパネルディスプレイ５０に表示されるので、利用者は車両の選択作業を効率的に行うことができる。
【００３０】
利用者が所望の車両を選択すると、中央処理部９０は、その車両に対応するキー３９を収容するキーボックス６０ａ〜６０ｄ（図６）の選択処理を行う（ステップＳ４）。すなわち、中央処理部９０は、キーボックス制御部９８に対して、選択された車両の情報を転送する。キーボックス制御部９８は、所定のキー３９を収容するキーボックス６０ａ〜６０ｄがキー取出部４８ａ〜４８ｅの扉５４ａ〜５４ｅのいずれかの前に位置決めされるように、位置センサ６４によって位置を監視しながらモータ６２を駆動する。なお、キーボックス６０ａ〜６０ｄは、矢印で示すいずれの方向にも回転可能であり、所望のキー３９を収容するキーボックス６０ａ〜６０ｄを扉５４ａ〜５４ｅに最も速く移動させるべく回転方向が選択される。該当するキー３９を収容するキーボックス６０ａ〜６０ｄが扉５４ａ〜５４ｅの前に位置決めされると、キーボックス制御部９８は、ソレノイド５２ａ〜５２ｅのいずれか１つのみを駆動し、前記キー３９に対応する扉５４ａ〜５４ｅのいずれか１つのみをアンロック状態とするとともに、その上部に配設したＬＥＤ５６ａ〜５６ｅのいずれか１つのみを点灯する。
【００３１】
利用者は、点灯しているＬＥＤ５６ａ〜５６ｅに従って扉５４ａ〜５４ｅを開け、キーボックス６０ａ〜６０ｄから所望のキー３９を取り出す。この場合、貸出・返却処理装置１４には、２０個のキー３９が保持されているが、利用者が認識できるのは、キー取出部４８ａ〜４８ｅに対応した５個のみである。従って、利用者が多数のキー３９の中から所望のキー３９を選択するという煩わしさを解消することができる。
【００３２】
一方、中央処理部９０は、選択された車両に係るデータをＩＤカード４２に書き込む（ステップＳ５）。例えば、貸出情報４７として、車両が貸し出し中であることを示すフラグが設定され、貸し出し中の車両番号が設定される。
【００３３】
利用者がキー３９を選択し、ＩＤカード４２に所定の情報が書き込まれると、中央処理部９０は、タッチパネルディスプレイ５０に前記キー３９に対応する車両の駐車場１６における位置を表示する（ステップＳ６）。なお、この表示に加えて、駐車場１６内の該当するバッテリ供給装置１８Ａ、１８Ｂ、充電器２７Ａ、２７Ｂ、あるいは、車両そのものにランプ等で表示を行うようにしてもよい。中央処理部９０は、利用者の情報を該当する車両が配置されているバッテリ供給装置１８Ａ、１８Ｂに転送する。
【００３４】
次に、キー３９を所持した利用者は、入口８４から駐車場１６内に入り、該当する車両まで移動する。このとき、入口８４に設けられた入口センサ８９は、ＩＤカード４２を所持した利用者の駐車場１６に対する入場を検知し、その情報をゲート制御部９６を介して中央処理部９０に転送することができる。
【００３５】
次いで、利用者は、例えば、電動二輪車２０あるいは電動三輪車２１を選択した場合（ステップＳ７）、所持しているＩＤカード４２をバッテリ供給装置１８Ａあるいは１８ＢのＩＤカード読込部６６に近づける。ＩＤカード読込部６６は、ＩＤカード４２に記録されている利用者の情報を読み込んで中央処理部１００に転送する。中央処理部１００は、ＩＤカード４２から得られた利用者の情報と、貸出・返却処理装置１４から転送された利用者の情報とを照合し、そのＩＤカード４２を所持する利用者が正規の利用者であることを確認すると、バッテリボックス制御部１０８に制御を移す（ステップＳ８）。
【００３６】
バッテリボックス制御部１０８は、既に充電が完了しており、且つ、選択された電動二輪車２０あるいは電動三輪車２１に対応したバッテリ２６を選択し、そのバッテリ２６のソレノイド７２を駆動してアンロック状態とするとともに、ＬＥＤ７８を点灯する（ステップＳ９）。なお、バッテリ供給装置１８Ａ、１８Ｂでは、バッテリ充電制御部１０６により、充電器７６を介して各バッテリ２６が充電されている。
【００３７】
利用者は、ＬＥＤ７８が点灯しているバッテリ２６をバッテリ供給装置１８Ａあるいは１８Ｂから抜き取った後、利用する電動二輪車２０あるいは電動三輪車２１に装填する。次いで、電動二輪車２０の場合、キー３９を用いてバッテリ２６をロックするとともに、電動二輪車２０のサークルロック３８をアンロックし、当該電動二輪車２０を出口８６から運び出して使用する。また、電動三輪車２１の場合も同様にして使用することができる。なお、出口８６に設けられた出口センサ９１が、例えば、電動二輪車２０に設けられたタグ１９に保持された固有情報を読み取り、その情報をゲート制御部９６を介して中央処理部９０に転送することができる。
【００３８】
ここで、バッテリ供給装置１８Ａ、１８Ｂからのバッテリ２６の取り出しの際、図８に示すように、バッテリ２６がケーシング７０の前面に傾斜した状態で装填されており、しかも、その高さが利用者にとって最適となる位置に設定されているため、利用者は、容易に所望のバッテリ２６を取り出すことができる。
【００３９】
なお、電動四輪車２３あるいは電動四輪車２５を選択した場合には、ＩＤカード４２を用いてバッテリ２６を取り出すことなく、キー３９のみにより車両を駆動することができる。この場合、電動四輪車２３あるいは電動四輪車２５においても、ＩＤカード４２の情報を読み込むとともに、貸出・返却処理装置１４からの当該利用者の情報を読み込み、これらの情報を照合させて利用者を確認し、正規の利用者であることを確認できたときのみ、車両のキー３９を使用できるように構成することにより、車両の盗難等の不具合を回避し、安全性をさらに向上させることができる。
【００４０】
以上のようにして車両を使用した後に返却処理が行われる。この場合、利用者は、車両を駐車場１６に返却し、施錠してキー３９を取り外すとともに、着脱自在なバッテリ２６を有する車両の場合には、それをバッテリ供給装置１８Ａあるいは１８Ｂに返却した後、ＩＤカード４２を貸出・返却処理装置１４のＩＤカード読込書込部４６に置き、あるいは、挿入し、キー３９を返却する。貸出・返却処理装置１４は、車両およびキー３９の返却を確認し、ＩＤカード４２のデータを更新する。例えば、貸出情報４７の貸出中を示すフラグをリセットし、車両番号のデータを消去し、車両情報４９の走行距離、バッテリ消費量のデータを更新し、利用実績情報５３の履歴データを更新する。以上の処理が完了すると、貸出・返却処理装置１４は、課金処理を行うことになる。なお、貸出・返却処理装置１４においては、車両の在庫情報も更新されることになる。
【００４１】
次に、キー３９を用いることなくＩＤカード４２のみにより車両のレンタルを行う場合について説明する。
【００４２】
図１４は、貸出・返却処理装置１４に代替されるＩＤカード専用貸出・返却処理装置１１０を示す。このＩＤカード専用貸出・返却処理装置１１０は、キー取出部４８ａ〜４８ｅがなく、タッチパネルディスプレイ１１２と、ＩＤカード読込書込部１１４と、処理本体部１１６とを有する。
【００４３】
図１５は、各車両に設けられるＩＤカード処理ユニット１１８を示す。このＩＤカード処理ユニット１１８は、ＩＤカード専用貸出・返却処理装置１１０との間で情報の送受信を行う通信部１２０と、中央処理部１２２と、ＩＤカード処理ユニット１１８での各種処理データを保持する記憶部１２４と、ＩＤカード４２に書き込まれている情報を読み込むとともに、車両側からＩＤカード４２に対して情報を書き込むＩＤカード読込書込部１２６と、入出力制御部１２８とを備える。入出力制御部１２８には、例えば、電動二輪車２０の場合には、バッテリ２６やサークルロック３８に該当し、電動四輪車２３、２５の場合には、ドアロックに該当する錠１３０が接続され、また、電動三輪車２１、電動四輪車２３および電動四輪車２５を駆動するためのイグニッション１３２が接続される。
【００４４】
そこで、利用者は、ＩＤカード専用貸出・返却処理装置１１０に対してＩＤカード４２を置き、あるいは、挿入し、前述した場合と同様にして所望の車両の選択を行う。ＩＤカード専用貸出・返却処理装置１１０は、利用者を確認し、車両の貸し出しを許可した場合、当該利用者の情報をバッテリ供給装置１８Ａ、１８Ｂ、あるいは、選択された車両のＩＤカード処理ユニット１１８に転送する。
【００４５】
電動二輪車２０あるいは電動三輪車２１を利用する場合、バッテリ供給装置１８Ａ、１８Ｂは、利用者のＩＤカード４２に基づいて利用者を確認し、バッテリ２６を提供する。利用者は、そのバッテリ２６を車両に装着し、当該車両のＩＤカード処理ユニット１１８を構成するＩＤカード読込書込部１２６を介して、例えば、車両番号等の情報を読み込み、ＩＤカード専用貸出・返却処理装置１１０から転送された情報と比較し、一致した場合、正規の利用者であると判定し、入出力制御部１２８を介してサークルロック３８等の錠１３０を解錠する。
【００４６】
一方、電動四輪車２３あるいは電動四輪車２５を利用する場合、利用者は選択した車両のＩＤカード処理ユニット１１８のＩＤカード読込書込部１２６によってＩＤカード４２の情報を読み込ませ、ＩＤカード専用貸出・返却処理装置１１０から転送された情報と比較し、一致した場合、正規の利用者であると判定し、入出力制御部１２８を介してドアロック等の錠１３０を解錠するとともに、イグニッション１３２を駆動可能とする。
【００４７】
この場合、ＩＤカード専用貸出・返却処理装置１１０にキー３９の収容、取り出しを行うための機構および処理が不要となるため、廉価となり、且つ、故障の発生頻度を著しく低下させることができる。また、利用者の貸出・返却処理の操作が少なく、利便性が向上する。さらに、利用者は、ＩＤカード４２のみを管理すればよく、キー３９を管理する必要がない。
【００４８】
一方、使用した車両を返却する場合には、利用者は、車両を駐車場１６に返却し、ＩＤカード４２を用いて施錠した後、着脱自在なバッテリ２６を有する車両の場合には、それをバッテリ供給装置１８Ａ、１８Ｂに返却する。このとき、ＩＤカード処理ユニット１１８において、車両の走行距離、バッテリ消費量等のデータをＩＤカード読込書込部１２６を介してＩＤカード４２に書き込むことができる。次いで、ＩＤカード４２をＩＤカード専用貸出・返却処理装置１１０のＩＤカード読込書込部１１４に置き、あるいは、挿入する。ＩＤカード専用貸出・返却処理装置１１０は、車両およびバッテリ２６の返却を確認し、ＩＤカード４２のデータを更新する。
【００４９】
【発明の効果】
以上説明したように、本発明に係る車両レンタルシステムによれば、利用可能な車両の車種情報を保持したＩＤカードを用いることで、利用者は作業者を介することなく、複数種類の車両から所望の車両を選択して借り出すことができる。この場合、利用者が車両を選択する操作を軽減することができる。
【図面の簡単な説明】
【図１】車両レンタルシステムの全体レイアウト図である。
【図２】電動二輪車の説明図である。
【図３】ＩＤカードに保持されるデータの説明図である。
【図４】ＩＤカードに保持されるデータの１つである許可フラグの説明図である。
【図５】貸出・返却処理装置の正面構成図である。
【図６】貸出・返却処理装置の内部概略構成図である。
【図７】バッテリ供給装置の正面構成図である。
【図８】バッテリ供給装置の側面構成図である。
【図９】貸出・返却処理装置およびバッテリ供給装置の制御系の構成ブロック図である。
【図１０】車両レンタルシステムの処理動作を説明するためのフローチャートである。
【図１１】利用者の趣味、嗜好データの説明図である。
【図１２】タッチパネルディスプレイの表示画面の説明図である。
【図１３】タッチパネルディスプレイの表示画面の説明図である。
【図１４】ＩＤカード専用貸出・返却処理装置の斜視構成図である。
【図１５】ＩＤカード処理ユニットの構成ブロック図である。
【符号の説明】
１０…システム管理装置            １２…通信回線
１４…貸出・返却処理装置          １６…駐車場
１８Ａ、１８Ｂ…バッテリ供給装置  ２０…電動二輪車（車両）
２１…電動三輪車（車両）          ２３、２５…電動四輪車（車両）
２７Ａ、２７Ｂ…充電器            ２６…バッテリ
３９…キー                        ４０…管理コンピュータ
４２…ＩＤカード                  ４４…ＩＤカード発行機
４６、１１４、１２６…ＩＤカード読込書込部
４８ａ〜４８ｅ…キー取出部
５０、１１２…タッチパネルディスプレイ（配置指示手段）
６６…ＩＤカード読込部            ６８ａ〜６８ｊ…バッテリボックス
９０、１００…中央処理部
１１０…ＩＤカード専用貸出・返却処理装置
１１８…ＩＤカード処理ユニット
【図１】
0004117937.tif 000002
【図２】
0004117937.tif 000003
【図３】
0004117937.tif 000004
【図４】
0004117937.tif 000005
【図５】
0004117937.tif 000006
【図６】
0004117937.tif 000007
【図７】
0004117937.tif 000008
【図８】
0004117937.tif 000009
【図９】
0004117937.tif 000010
【図１０】
0004117937.tif 000011
【図１１】
0004117937.tif 000012
【図１２】
0004117937.tif 000013
【図１３】
0004117937.tif 000014
【図１４】
0004117937.tif 000015
【図１５】
0004117937.tif 000016